(57)【要約】【課題】複数の糸に対して同時に交絡処理を施すことができ、さらに、交絡性能の向上及び流体消費量の低減の両方を実現可能な糸処理装置を提供すること。【解決手段】糸処理装置１は、所定方向に沿って並べて配置されるとともに、所定方向にそれぞれ移動可能な複数枚のプレート３と、複数のプレート３の間にそれぞれひとつづつ形成された複数の糸処理通路２０と、複数のプレート３の間にそれぞれひとつづつ設けられて複数の糸処理通路２０にそれぞれエアを噴射する複数の噴射流路２３とを備えており、隣接するプレート３同士を互いに離間又は密着させることにより、複数の糸処理通路２０を開閉することが可能に構成されている。【選択図】図２
2007332503.tif 000002
【特許請求の範囲】
【請求項１】
所定方向に沿って並べて配置されるとともに、前記所定方向にそれぞれ移動可能な複数の通路形成部材と、
前記複数の通路形成部材の間にそれぞれ形成された複数の糸処理通路と、
前記複数の通路形成部材のそれぞれに設けられ、前記複数の糸処理通路にそれぞれ前記糸処理通路を通過する糸を処理するための流体を供給する複数の流体噴射流路と、
隣接する前記通路形成部材同士を互いに前記所定方向に移動させることにより離間又は密着させて、前記複数の糸処理通路を開放又は閉止する開閉手段と、
を備えていることを特徴とする糸処理装置。
【請求項２】
前記複数の通路形成部材にわたって延びる共通流路をさらに備え、
この共通流路は、前記複数の通路形成部材にそれぞれ形成された複数の貫通孔からなり、
前記複数の流体噴射流路は、前記共通流路から分岐して前記複数の糸処理通路へ延びており、
さらに、前記複数の通路形成部材の間に複数のシール部材がそれぞれ設けられていることを特徴とする請求項１に記載の糸処理装置。
【請求項３】
前記シール部材は弾性体からなるものであり、隣接する前記通路形成部材同士をその弾性により互いに離間させて、前記複数の糸処理通路を開放する開閉手段の一部を構成していることを特徴とする請求項２に記載の糸処理装置。
【請求項４】
各流体噴射流路は、対応する前記糸処理通路を形成する２つの前記通路形成部材の対向面の、少なくとも一方の対向面に形成された溝と他方の対向面とにより構成されていることを特徴とする請求項１〜３の何れかに記載の糸処理装置。
【請求項５】
前記糸処理通路への糸挿入方向と、前記流体噴射流路から前記糸処理通路への流体の噴射方向が、前記糸処理通路内の糸に直交する平面上においてほぼ逆方向であることを特徴とする請求項１〜４の何れかに記載の糸処理装置。
【請求項６】
糸を前記糸処理通路内に位置規制する糸挟み込み防止手段を有することを特徴とする請求項１〜５の何れかに記載の糸処理装置。
【請求項７】
前記複数の通路形成部材を貫通して前記所定方向に延び、これら複数の通路形成部材の前記所定方向への移動をガイドする案内部材を備えており、
前記案内部材の少なくとも一部が、前記複数の糸処理通路内に入り込んで、前記糸挟み込み防止手段を構成していることを特徴とする請求項６に記載の糸処理装置。
【請求項８】
前記開閉手段は、制御装置からの運転開始信号を受けて、前記複数の通路形成部材を互いに密着する方向に押圧する押圧手段を含んでいることを特徴とする請求項１〜７の何れかに記載の糸処理装置。
【発明の詳細な説明】
【技術分野】
【０００１】
本発明は、複数のフィラメントからなる糸（マルチフィラメント糸）に流体を噴射することによって交絡処理を施す糸処理装置に関する。
【背景技術】
【０００２】
紡糸直後の撚りが付与されていない複数のフィラメントからなる糸は集束性に乏しく、糸切れが生じやすいため、このような糸には、ワインダーで巻き取られる前に交絡処理が施されて集束性が付与される。このような交絡処理を行う糸処理装置として、糸に流体（一般には加圧エア）を噴射することにより、複数のフィラメント同士を交絡させるように構成されたものが広く知られている。
【０００３】
その中でも、同時並行して巻き取られる複数の糸に対して、同時に交絡処理を施すことが可能な糸処理装置が知られている。例えば、特許文献１に記載の糸処理装置（多糸条流体処理装置）は、加圧流体の導入路を有する流体供給部材と、導入路に連通する複数の流体通路がそれぞれ形成された複数の糸道部材を有する。隣接する２つの糸道部材のうち、一方の糸道部材にはその内部の流体通路に連通する流体噴射孔が設けられ、他方の糸道部材の流体噴射孔に対向する位置には溝状の処理部が設けられている。また、隣接する２つの糸道部材の間には糸掛けスリットが設けられ、この糸掛けスリットから処理部へ糸を導入することができるようになっている。そして、処理部に糸が導入された状態で、流体噴射孔から処理部に向けて加圧流体が噴射されることにより、複数のフィラメントからなる糸に交絡処理が施される。
【０００４】
【特許文献１】特開平９−２５００４３号公報
【発明の開示】
【発明が解決しようとする課題】
【０００５】
前述の特許文献１の糸処理装置においては、糸に交絡処理を施す処理部が、糸掛けスリットを介して常に外部に開放されていることから、流体噴射孔から処理部に向けて噴射された流体の一部が外部へ逃げてしまう。そのため、処理部内の糸に十分な交絡を生じさせるのに必要なエネルギーを糸に与えられなくなり、交絡性能が低下する。また、外部へ逃げる分だけエアの消費量が余計に増えてしまう。
【０００６】
本発明の目的は、複数の糸に対して同時に交絡処理を施すことができ、さらに、交絡性能の向上及び流体消費量の低減の両方を実現可能な糸処理装置を提供することである。
【課題を解決するための手段及び発明の効果】
【０００７】
第１の発明の糸処理装置は、所定方向に沿って並べて配置されるとともに、前記所定方向にそれぞれ移動可能な複数の通路形成部材と、前記複数の通路形成部材の間にそれぞれ形成された複数の糸処理通路と、前記複数の通路形成部材のそれぞれに設けられ、前記複数の糸処理通路にそれぞれ前記糸処理通路を通過する糸を処理するための流体を供給する複数の流体噴射流路と、隣接する前記通路形成部材同士を互いに前記所定方向に移動させることにより離間又は密着させて、前記複数の糸処理通路を開放又は閉止する開閉手段とを備えていることを特徴とするものである。
【０００８】
この構成によれば、隣接する通路形成部材の間に複数の糸処理通路がそれぞれ形成されることから、これら複数の糸処理通路に流体通路から流体を供給することにより、複数の糸に対して同時に交絡処理を施すことが可能である。それに加えて、複数の糸処理通路にそれぞれ糸を挿入するときには、開閉手段により隣接する通路形成部材同士を離間させて糸処理通路を開放し、流体通路から糸処理通路へ流体を供給するときには、開閉手段により隣接する通路形成部材同士を密着させて糸処理通路を閉止することができる。そのため、交絡処理時に糸処理通路から流体が外部へ逃げるのを防止することができ、交絡性能の向上及び流体消費量の低減の両方を実現できる。また、流体噴射時に糸処理通路が閉止されることから、良好な交絡処理を実現するために必要な、糸処理通路への糸挿入方向と流体の噴射方向に関する制約が少なくなり、流体通路の配置自由度が高まる。さらに、糸処理通路を開放することで、その内部の清掃を容易に行うことができる。
【０００９】
第２の発明の糸処理装置は、前記第１の発明において、前記複数の通路形成部材にわたって延びる共通流路をさらに備え、この共通流路は、前記複数の通路形成部材にそれぞれ形成された複数の貫通孔からなり、前記複数の流体噴射流路は、前記共通流路から分岐して前記複数の糸処理通路へ延びており、さらに、前記複数の通路形成部材の間に複数のシール部材がそれぞれ設けられていることを特徴とするものである。
【００１０】
この構成によれば、複数の通路形成部材に複数の貫通孔が形成され、これら複数の貫通孔により、複数の通路形成部材にわたって延びる共通流路が形成されていることから、糸処理通路へ流体を導くための流路構成が簡素化されてその形成が容易になり、また、コストも低減できる。
【００１１】
第３の発明の糸処理装置は、前記第２の発明において、前記シール部材は弾性体からなるものであり、隣接する前記通路形成部材同士をその弾性により互いに離間させて、前記複数の糸処理通路を開放する開閉手段の一部を構成していることを特徴とするものである。
【００１２】
この構成によれば、シール部材が、開閉手段の一部、即ち、隣接する通路形成部材の間を一定幅で離間させる手段を兼ねることから、糸処理装置の構成を簡素化することができる。
【００１３】
第４の発明の糸処理装置は、前記第１〜第３の何れかの発明において、各流体噴射流路は、対応する前記糸処理通路を形成する２つの前記通路形成部材の対向面の、少なくとも一方の対向面に形成された溝と他方の対向面とにより構成されていることを特徴とするものである。この構成によれば、通路形成部材の内部に流体噴射流路が形成される場合と比べて、流路構造が簡単になるとともにその形成も容易になり、コストを低減できる。また、通路形成部材の幅も小さくすることができる。尚、この第４の発明には、２つの通路形成部材の対向面の両方にそれぞれ溝が形成されて、これら２つの溝により流体噴射流路が構成されている形態も含まれる。
【００１４】
第５の発明の糸処理装置は、前記第１〜第４の何れかの発明において、前記糸処理通路への糸挿入方向と、前記流体噴射流路から前記糸処理通路への流体の噴射方向が、前記糸処理通路内の糸に直交する平面上においてほぼ逆方向であることを特徴とするものである。
【００１５】
糸処理通路が開放された状態で糸処理通路内に流体が噴射される従来の構成では、良好な交絡性能を得るために、糸処理通路への流体噴射方向が、糸に直交する平面上において、糸挿入方向に対してある角度（例えば、９０度）をなしていることが必須となる。例えば、糸挿入方向と流体噴射方向が逆方向になっていると、糸処理通路内に噴射された流体の一部が外部へ素通りしてしまうために交絡性能が低下し、さらに、噴射された流体による糸の外部への飛び出しや流体の漏れ量増加といった問題も生じる。しかし、糸挿入方向と流体噴射方向とがある角度をなすようにすると、通路形成部材の幅が大きくなり、複数の糸処理通路のピッチが広がってしまうため、糸処理装置のサイズが大きくなる。
【００１６】
しかし、本発明では、流体噴射時には糸処理通路が閉止されることから、前述のような制約を受けることがなく、糸挿入方向と流体噴射方向とを逆方向にすることが可能となる。そのため、通路形成部材の幅を狭くして、複数の糸処理通路のピッチを小さくすることができ、糸処理装置の一層の小型化を実現できる。
【００１７】
第６の発明の糸処理装置は、前記第１〜第５の何れかの発明において、糸を前記糸処理通路内に位置規制する糸挟み込み防止手段を有することを特徴とするものである。この構成によれば、糸挟み込み防止手段により、糸が通路形成部材間に挟まれるのを防止できる。
【００１８】
第７の発明の糸処理装置は、前記第６の発明において、前記複数の通路形成部材を貫通して前記所定方向に延び、これら複数の通路形成部材の前記所定方向への移動をガイドする案内部材を備えており、前記案内部材の少なくとも一部が、前記複数の糸処理通路内に入り込んで、前記糸挟み込み防止手段を構成していることを特徴とするものである。
【００１９】
この構成によれば、複数の通路形成部材の所定方向への移動が案内部材によりガイドされるため、糸処理通路の開閉動作がスムーズに行われる。これに加えて、案内部材の少なくとも一部が複数の糸処理通路内に入り込んで、糸挟み込み手段を構成しているため、糸が通路形成部材の間に挟まれるのが防止される。また、糸の挟み込みを防止するための部品を案内部材とは別に設ける必要がなく、部品数を少なくすることができる。
【００２０】
第８の発明の糸処理装置は、前記第１〜第７の何れかの発明において、前記開閉手段は、制御装置からの運転開始信号を受けて、前記複数の通路形成部材を互いに密着する方向に押圧する押圧手段を含んでいることを特徴とするものである。この構成によれば、押圧手段が、制御手段からの信号を受けて、複数の通路形成部材を所定方向に押圧して複数の糸処理通路を自動的に閉止することから、糸処理通路の閉止がなされずに交絡処理が行われて、不良糸が発生してしまうのを防止することが可能となる。
【発明を実施するための最良の形態】
【００２１】
次に、本発明の実施の形態について図１〜図６を参照して説明する。尚、図１における前後左右の方向を前後左右と定義して以下説明する。図１に示すように、糸処理装置１は、本体部材２と、左右方向に沿って並べて配置されるとともに、本体部材２に対して左右方向にそれぞれ移動可能に取り付けられた複数枚のプレート３（通路形成部材）とを備えている。
【００２２】
図１、図２に示すように、本体部材２は、複数枚のプレート３の配置方向（左右方向）に延びる側壁部２ａと、この側壁部２ａの右端から前方へ延び、最も右側に位置するプレート３を受けとめる受け部２ｂとを備えており、この本体部材２は逆Ｌ字形の平面形状を有する。受け部２ｂのほぼ中央部には、この受け部２ｂを貫通するようにエア供給孔１０が形成されており、このエア供給孔１０には、次述の複数枚のプレート３内のエア通路へエアを供給するための、コンプレッサ等のエア供給装置１１（図６参照）が接続される。さらに、受け部２ｂには、後述する４本のガイドバー１２の一端部がそれぞれ固定されている。
【００２３】
図３に示すように、各プレート３は矩形板状に形成されており、各プレート３の四隅近傍部分を、左右方向に延びる４本のガイドバー１２（案内部材）がそれぞれ貫通している。つまり、複数枚のプレート３は４本のガイドバー１２にガイドされて、左右方向にスムーズに移動できる。そして、このように各プレート３が左右方向に移動することによって、複数枚のプレート３は、それぞれ、隣接する別のプレート３に密着した状態（図１、図２参照）と、隣接する別のプレート３から離間した状態（図５参照）の何れかの状態となる。
【００２４】
また、最も左に位置しているプレート３には押圧板１３が当接している。この押圧板１３も４本のガイドバー１２に貫通されており、これら４本のガイドバー１２に沿って左右方向に移動可能である。押圧板１３にはアクチュエータ１４（押圧手段）が接続されており、このアクチュエータ１４により押圧板１３は左右方向へ駆動される。尚、アクチュエータ１４としては、例えば油圧シリンダやエアシリンダなどを用いることができるが、これらに限られるものではない。そして、押圧板１３がアクチュエータ１４により右方へ駆動されたときには、複数枚のプレート３が受け部２ｂへ押圧されて、本体部材２の受け部２ｂと押圧板１３との間で圧縮され、図２に示すように、複数枚のプレート３が互いに密着した状態となる。
【００２５】
図２〜図５に示すように、各プレート３の前端側部分の両面には、上下に延びる溝３ａ，３ｂがそれぞれ形成されている。そして、これら２つの溝３ａ，３ｂにより１つの糸処理通路２０が形成されている。即ち、複数枚のプレート３の間に複数の糸処理通路２０がそれぞれ形成される。各糸処理通路２０には、複数のフィラメントからなるフィラメント糸Ｙが走行し、各糸処理通路２０において、走行する糸Ｙが加圧エアにより交絡処理される。ここで、図５に示すように、隣接するプレート３が互いに離間している状態では糸処理通路２０が開放されており、前方から２枚のプレート３の隙間２１を通して糸処理通路２０内に糸Ｙを挿入することが可能である。一方、図２に示すように、隣接するプレート３同士が密着している状態では、これらプレート３間の隙間２１が塞がれて糸処理通路２０が閉止されている。
【００２６】
ここで、図２、図３、図５に示すように、４本のガイドバー１２のうち、前方に位置する２本のガイドバー１２の前側部分が、溝３ａ，３ｂの内部、即ち、糸処理通路２０内に入り込んでいる。そのため、糸処理通路２０が開放されている状態で、前方から糸処理通路２０内に糸Ｙが挿入されたときに、糸Ｙが溝３ａ，３ｂの位置に規制され、溝３ａ，３ｂを越えてさらに内側に進入してプレート３の間に入り込むのが前方２本のガイドバー１２により妨げられるため、隣接するプレート３を密着させたときに糸Ｙがプレート３の間に挟まれるのが防止される。即ち、前方に位置する２本のガイドバー１２が、糸Ｙを糸処理通路２０内に位置規制する糸挟み込み防止手段に相当する。
【００２７】
図２、図３、及び、図５に示すように、各プレート３の略中央部には円形の貫通孔３ｃが形成されている。最も右端に位置しているプレート３の貫通孔３ｃは、プレート３の右側で本体部材２の受け部２ｂに形成されたエア供給孔１０に連通する。また、最も左端に位置しているプレート３の貫通孔３ｃは、プレート３の左側で押圧板１３により塞がれている。そして、図２に示すように、複数枚のプレート３が互いに密着したときに、これらのプレート３にそれぞれ形成された複数の貫通孔３ｃが連なって、複数枚のプレート３にわたって延びる共通流路２２が形成される。この共通流路２２には、エア供給装置１１（図６参照）からエア供給孔１０を介して加圧エアが供給される。
【００２８】
さらに、図２〜図５に示すように、各プレート３の一方の面（右面）には、貫通孔３ｃから糸処理通路２０を形成する溝３ａに達する、前後方向に直線的に延びる溝３ｄが形成されている。そして、隣接するプレート３同士が密着したときには、一方の対向面に形成された溝３ｄが他方の対向面により塞がれて、流路２３が形成される。つまり、複数のプレート３にそれぞれ形成された複数の溝３ｄとこれら複数の溝３ｄを塞ぐ隣接プレート３の対向面により、共通流路２２から分岐して複数の糸処理通路２０へそれぞれ延びる複数の流体噴射流路２３が形成される。そして、共通流路２２から複数の流体噴射流路２３にエアがそれぞれ供給され、さらに、これら複数の流体噴射流路２３から閉止状態の複数の糸処理通路２０に対してエアが噴射されて、糸処理通路２０内の複数のフィラメントからなる糸Ｙに交絡処理が施される。
【００２９】
このように、本実施形態の糸処理装置１においては、複数のプレート３に複数の貫通孔３ｃがそれぞれ形成され、これら複数の貫通孔３ｃによって、複数のプレート３にわたって左右方向に延び、複数の流体噴射流路２３へエアをそれぞれ供給する共通流路２２が構成されている。この構成によれば、糸処理通路２０へエアを導くための流路構成が簡素化されてその形成が容易になり、また、コストも低減できる。
【００３０】
また、図２〜図５に示すように、複数枚のプレート３の間には、複数の環状のシール部材２５がそれぞれ装着されている。各シール部材２５は、ゴムなどの弾性を有する材料で形成されており、図３に示すように、共通流路２２を形成する円形の貫通孔３ｃを囲うように配置されている。そのため、アクチュエータ１４により複数枚のプレート３が受け部２ｂに向けて右方へ押圧されているときには、図２に示すように、隣接する２枚のプレート３のそれぞれに、弾性を有するシール部材２５が確実に密着し、共通流路２２から隣接する２枚のプレート３の間を通してエアが漏れることが防止される。また、アクチュエータ１４による押圧状態（圧縮状態）が解除されたときには、シール部材２５の弾性により両側に位置するプレート３が左右にそれぞれ押し広げられ、図５に示すように、隣接するプレート３の間に一定幅の隙間２１が形成されて、糸処理通路２０が自然に開放される。この構成によれば、糸処理通路２０を開放するための部品や機構をシール部材２５とは別に設ける必要がないため、部品数を少なくすることができる。尚、以上説明したアクチュエータ１４と複数のシール部材２５が複数の糸処理通路２０を開閉する開閉手段に相当する。
【００３１】
以上のように、隣接するプレート３同士が密着して糸処理通路２０が閉止された状態で、流体噴射流路２３から糸処理通路２０へエアが噴射されるように構成されていると、交絡処理時に糸処理通路２０からエアが外部へ逃げるのを確実に防止することができる。それに加えて、以下のように、流体噴射流路２３の配置自由度が高まるという効果も得られる。
【００３２】
即ち、糸処理通路２０が開放された状態でこの糸処理通路２０内にエアが噴射される場合には、糸処理通路２０へのエア噴射方向が、糸挿入方向に対してある角度（例えば、９０度）なしていることが必要である。例えば、図４に示すように、糸挿入方向とエアの噴射方向が、糸Ｙに直交する平面上において逆方向になっていると、糸処理通路２０内に噴射されたエアの一部が通路壁面に衝突せずに外部へ素通りしてしまうために交絡性能が低下し、さらに、噴射されたエアによる糸Ｙの外部への飛び出しやエアの漏れ量増加といった問題も生じる。
【００３３】
しかし、本実施形態の糸処理装置１においては、糸処理通路２０が閉止された状態でこの糸処理通路２０内へエアが噴射されることから、前述したような、流体噴射流路２３の配置に関する制約を受けない。そのため、図４に示すように、流体噴射流路２３が前後方向に延びて、糸挿入方向とエアの噴射方向がほぼ逆方向となっていても、十分な交絡性能が得られることになる。このように噴射方向を前後方向に設定すると、エア噴射方向がプレート厚み方向である場合に比べてプレート３の厚みを薄くすることができるため、複数の糸処理通路２０の配置間隔（ピッチ）を小さくすることができ、糸処理装置１を一層小型化することが可能となる。
【００３４】
それに加えて、隣接するプレート３同士を密着させることにより、これらのプレート３の対向面に設けられた溝３ａ，３ｂによって各流体噴射流路２３が形成されることから、各プレート３にノズル状の流体噴射流路が形成される場合と比べて流路構造が単純化し、製造コストを低下させることができる。また、プレート３同士が離間した状態で、流体噴射流路２３内の異物を容易に除去することができる。
【００３５】
次に、糸処理装置１を制御する制御装置３０について図６を参照して説明する。制御装置３０は、演算処理装置であるＣＰＵ（Central Processing Unit）と、ＣＰＵが実行するプログラム及びプログラムに使用されるデータが記憶されているＲＯＭ（Read-Only Memory）と、プログラム実行時にデータを一時記憶するためのＲＡＭ（Random Access Memory）等で構成されている。
【００３６】
また、制御装置３０は、外部から糸処理装置１の運転開始指令が入力されたときには、エア供給装置１１と糸処理装置１のアクチュエータ１４にそれぞれ制御信号を出力し、エア供給装置１１による糸処理装置１へのエア供給動作と、アクチュエータ１４による押圧動作（糸処理通路２０の閉止動作）をそれぞれ制御する。
【００３７】
つまり、制御装置３０に運転開始指令が入力されると、アクチュエータ１４は、制御装置３０からの信号を受けて、押圧板１３を右方へ駆動し、これによって、複数枚のプレート３を右方に押圧して複数の糸処理通路２０を自動的に閉止する。そのため、糸処理通路２０の閉止がなされずに糸Ｙに交絡処理が行われて、不良糸が発生してしまうことがない。
【００３８】
次に、糸Ｙに交絡処理を施す際の糸処理装置１の作用について説明する。
まず、制御装置３０に運転停止指令が入力されているときには、制御装置３０は、エア供給装置１１によるエア供給動作を禁止している。同時に、制御装置３０は、アクチュエータ１４に対してプレート３を押圧しない（糸処理通路２０を開放する）信号を出力する。即ち、アクチュエータ１４により押圧板１３が左方へ駆動され、図５に示すように、複数枚のプレート３がそれらの間のシール部材２５の弾性により互いに離間している状態である。この状態では、複数の糸処理通路２０が開放されており、複数の糸処理通路２０に対して前方からそれぞれ糸Ｙを挿入することができる。
【００３９】
そして、複数の糸処理通路２０内に糸Ｙがセットされた状態で、制御装置３０に糸処理装置１の運転開始指令が入力されたときには、制御装置３０からアクチュエータ１４に対してプレート３を押圧する（糸処理通路２０を閉止する）信号が出力される。すると、図２に示すように、押圧板１３を介して複数枚のプレート３が押圧されて互いに密着し、複数の糸処理通路２０がそれぞれ閉止される。
【００４０】
次に、制御装置３０からエア供給装置１１に対してエア供給信号が出力される。すると、エア供給装置１１から糸処理装置１の共通流路２２へエアが供給され、さらに、共通流路２２から複数の流体噴射流路２３を介して複数の糸処理通路２０へそれぞれエアが噴射される。従って、複数の糸処理通路２０において複数の糸Ｙに同時に交絡処理が施される。尚、糸切れ時のメンテナンスを行う場合などに、運転停止指令が制御装置３０に入力されたときには、制御装置３０はエア供給装置１１によるエアの供給を停止させるとともに、アクチュエータ１４により押圧板１３を左方へ駆動して、複数の糸処理通路２０を開放させる。
【００４１】
以上説明した糸処理装置１によれば、次のような効果が得られる。
複数枚のプレート３の間に複数の糸処理通路２０がそれぞれ形成されることから、これら複数の糸処理通路２０にそれぞれエアを噴射することにより、複数の糸Ｙに対して同時に交絡処理を施すことができる。それに加えて、糸処理通路２０に糸Ｙを挿入するときには糸処理通路２０を開放し、エアを噴射するときには糸処理通路２０を閉止できるため、交絡処理時に糸処理通路２０からエアが外部へ逃げるのを防止することができ、交絡性能の向上及びエア消費量の低減の両方を実現できる。さらに、糸処理通路２０を開放することにより、その内部の清掃を容易に行うことができる。
【００４２】
エア噴射時に糸処理通路２０が閉止されることから、図４に示すように、流体噴射流路２３を前後方向に延びるように形成して、糸挿入方向とエア噴射方向を糸Ｙに直交する平面上でほぼ逆方向にすることが可能になる。この構成によれば、プレート３の厚みを薄くすることができるため、複数の糸処理通路２０のピッチを小さくすることができ、糸処理装置１を一層小型化することができる。
【００４３】
複数の流体噴射流路２３（複数の糸処理通路２０）へエアをそれぞれ供給する共通流路２２が複数のプレート３に亙って形成されているため、共通流路２２が複数のプレート３とは別の部材に形成されている場合には必須のシール構造が不要になる。また、共通流路２２が、複数のプレート３にそれぞれ形成された貫通孔３ｃからなるため、共通流路２２の構造が簡素化されてその形成も容易になり、コストをさらに低減できる。
【００４４】
さらに、各流体噴射流路２３は、対応する糸処理通路２０を形成する２枚のプレート３の対向面のうちの、一方に形成された溝３ｄと他方の対向面により構成されている。この構成によれば、プレート３の内部に流体噴射流路２３が形成される場合と比べて、流路構造が簡単になるとともにその形成も容易になり、コストを低減できる。さらに、プレート３の厚みも薄くできる。また、プレート３の離間時に流体噴射流路２３も開放されるため、清掃も容易になる。
【００４５】
複数枚のプレート３の左右方向への移動が４本のガイドバー１２によりガイドされるため、糸処理通路２０の開閉動作をスムーズに行うことができる。それに加えて、前方に位置する２本のガイドバー１２の一部が糸処理通路２０内に入り込んでいるため、糸Ｙがプレート３の間に挟まれるのが防止される。また、糸Ｙの挟み込みを防止するための部品をガイドバー１２とは別に設ける必要がなく、部品数を少なくすることができる。
【００４６】
次に、前記実施形態に種々の変更を加えた変更形態について説明する。但し、前記実施形態と同様の構成を有するものについては、同じ符号を付して適宜その説明を省略する。
【００４７】
１］前記実施形態では、隣接する２枚のプレート３の対向面にそれぞれ形成された２本の溝３ａ，３ｂにより糸処理通路２０が形成されているが、一方の対向面にのみ溝が形成され、この溝と他方の対向面とにより糸処理通路２０が形成されてもよい。
【００４８】
２］前記実施形態では、隣接する２枚のプレート３の一方に溝３ｄが形成され、この溝３ｄが他方の対向面により塞がれることによって流体噴射流路２３が形成されているが、２枚のプレート３の両方に溝が形成され、これら２つの溝により流体噴射流路２３が形成されてもよい。
【００４９】
３］前記実施形態では、隣接する２枚のプレート３の間にそれぞれ設けられたシール部材２５の弾性により２枚のプレート３を押し広げて糸処理通路２０を開放するようになっているが、アクチュエータ等により強制的に２枚のプレート３を互いに離間させるように構成されていてもよい。
【００５０】
４］複数枚のプレート３を押圧して糸処理通路２０を閉止する手段としては、制御装置３０からの指令により自動的に作動するアクチュエータ１４に限られるものではなく、手動で作動するクランプ装置などを採用してもよい。
【００５１】
５］前記実施形態では、プレート３の移動をガイドするガイドバー１２が、プレート３間における糸Ｙの挟み込みを防止する手段を兼ねているが、挟み込みを防止するための部品や機構がガイドバー１２とは別に設けられていてもよい。
【図面の簡単な説明】
【００５２】
【図１】本発明の実施形態に係る糸処理装置（糸処理通路閉止状態）の斜視図である。
【図２】図１のII-II線水平断面図である。
【図３】図１のIII-III線鉛直断面図である。
【図４】図２の糸処理通路近傍の拡大図である。
【図５】糸処理装置（糸処理通路開放状態）の図２相当の水平断面図である。
【図６】糸処理装置に関する電気的な構成を示すブロック図である。
【符号の説明】
【００５３】
１  糸処理装置
３  プレート
３ｃ  貫通孔
３ｄ  溝
１２  ガイドバー
１４  アクチュエータ
２０  糸処理通路
２２  共通流路
２３  流体噴射流路
２５  シール部材
３０  制御装置
【図１】
2007332503.tif 000003
【図２】
2007332503.tif 000004
【図３】
2007332503.tif 000005
【図４】
2007332503.tif 000006
【図５】
2007332503.tif 000007
【図６】
2007332503.tif 000008
【手続補正書】
【提出日】平成19年6月11日(2007.6.11)
【手続補正１】
【補正対象書類名】特許請求の範囲
【補正対象項目名】請求項１
【補正方法】変更
【補正の内容】
【請求項１】
所定方向に沿って並べて配置されるとともに、前記所定方向にそれぞれ移動可能な複数の通路形成部材と、
前記複数の通路形成部材の間にそれぞれひとつづつ形成された複数の糸処理通路と、
前記複数の通路形成部材の間にそれぞれひとつづつ設けられ、前記複数の糸処理通路にそれぞれ前記糸処理通路を通過する糸を処理するための流体を供給する複数の流体噴射流路と、
隣接する前記通路形成部材同士を互いに前記所定方向に移動させることにより離間又は密着させて、前記複数の糸処理通路を開放又は閉止する開閉手段と、
を備えていることを特徴とする糸処理装置。
【手続補正２】
【補正対象書類名】特許請求の範囲
【補正対象項目名】請求項２
【補正方法】変更
【補正の内容】
【請求項２】
前記複数の通路形成部材にわたって延びる共通流路をさらに備え、
この共通流路は、前記複数の通路形成部材にそれぞれ形成された複数の貫通孔からなり、
前記複数の流体噴射流路は、前記共通流路から分岐して前記複数の糸処理通路へ延びており、
さらに、前記複数の通路形成部材の間に複数のシール部材がそれぞれひとつづつ設けられていることを特徴とする請求項１に記載の糸処理装置。
【手続補正３】
【補正対象書類名】明細書
【補正対象項目名】０００７
【補正方法】変更
【補正の内容】
【０００７】
第１の発明の糸処理装置は、所定方向に沿って並べて配置されるとともに、前記所定方向にそれぞれ移動可能な複数の通路形成部材と、前記複数の通路形成部材の間にそれぞれひとつづつ形成された複数の糸処理通路と、前記複数の通路形成部材の間にそれぞれひとつづつ設けられ、前記複数の糸処理通路にそれぞれ前記糸処理通路を通過する糸を処理するための流体を供給する複数の流体噴射流路と、隣接する前記通路形成部材同士を互いに前記所定方向に移動させることにより離間又は密着させて、前記複数の糸処理通路を開放又は閉止する開閉手段とを備えていることを特徴とするものである。
【手続補正４】
【補正対象書類名】明細書
【補正対象項目名】０００９
【補正方法】変更
【補正の内容】
【０００９】
第２の発明の糸処理装置は、前記第１の発明において、前記複数の通路形成部材にわたって延びる共通流路をさらに備え、この共通流路は、前記複数の通路形成部材にそれぞれ形成された複数の貫通孔からなり、前記複数の流体噴射流路は、前記共通流路から分岐して前記複数の糸処理通路へ延びており、さらに、前記複数の通路形成部材の間に複数のシール部材がそれぞれひとつづつ設けられていることを特徴とするものである。
【手続補正５】
【補正対象書類名】明細書
【補正対象項目名】００２５
【補正方法】変更
【補正の内容】
【００２５】
図２〜図５に示すように、各プレート３の前端側部分の両面には、上下に延びる溝３ａ，３ｂがそれぞれ形成されている。そして、これら２つの溝３ａ，３ｂにより１つの糸処理通路２０が形成されている。即ち、複数枚のプレート３の間に複数の糸処理通路２０がそれぞれひとつづつ形成される。各糸処理通路２０には、複数のフィラメントからなるフィラメント糸Ｙが走行し、各糸処理通路２０において、走行する糸Ｙが加圧エアにより交絡処理される。ここで、図５に示すように、隣接するプレート３が互いに離間している状態では糸処理通路２０が開放されており、前方から２枚のプレート３の隙間２１を通して糸処理通路２０内に糸Ｙを挿入することが可能である。一方、図２に示すように、隣接するプレート３同士が密着している状態では、これらプレート３間の隙間２１が塞がれて糸処理通路２０が閉止されている。
【手続補正６】
【補正対象書類名】明細書
【補正対象項目名】００２８
【補正方法】変更
【補正の内容】
【００２８】
さらに、図２〜図５に示すように、各プレート３の一方の面（右面）には、貫通孔３ｃから糸処理通路２０を形成する溝３ａに達する、前後方向に直線的に延びる溝３ｄが形成されている。そして、隣接するプレート３同士が密着したときには、一方の対向面に形成された溝３ｄが他方の対向面により塞がれて、流路２３が形成される。つまり、複数のプレート３にそれぞれひとつづつ形成された複数の溝３ｄとこれら複数の溝３ｄを塞ぐ隣接プレート３の対向面により、共通流路２２から分岐して複数の糸処理通路２０へそれぞれ延びる複数の流体噴射流路２３が形成される。そして、共通流路２２から複数の流体噴射流路２３にエアがそれぞれ供給され、さらに、これら複数の流体噴射流路２３から閉止状態の複数の糸処理通路２０に対してエアが噴射されて、糸処理通路２０内の複数のフィラメントからなる糸Ｙに交絡処理が施される。
【手続補正７】
【補正対象書類名】明細書
【補正対象項目名】００３０
【補正方法】変更
【補正の内容】
【００３０】
また、図２〜図５に示すように、複数枚のプレート３の間には、複数の環状のシール部材２５がそれぞれひとつづつ装着されている。各シール部材２５は、ゴムなどの弾性を有する材料で形成されており、図３に示すように、共通流路２２を形成する円形の貫通孔３ｃを囲うように配置されている。そのため、アクチュエータ１４により複数枚のプレート３が受け部２ｂに向けて右方へ押圧されているときには、図２に示すように、隣接する２枚のプレート３のそれぞれに、弾性を有するシール部材２５が確実に密着し、共通流路２２から隣接する２枚のプレート３の間を通してエアが漏れることが防止される。また、アクチュエータ１４による押圧状態（圧縮状態）が解除されたときには、シール部材２５の弾性により両側に位置するプレート３が左右にそれぞれ押し広げられ、図５に示すように、隣接するプレート３の間に一定幅の隙間２１が形成されて、糸処理通路２０が自然に開放される。この構成によれば、糸処理通路２０を開放するための部品や機構をシール部材２５とは別に設ける必要がないため、部品数を少なくすることができる。尚、以上説明したアクチュエータ１４と複数のシール部材２５が複数の糸処理通路２０を開閉する開閉手段に相当する。